(57)【要約】【課題】  費用の追加なしに、高い品質で同時画面を表示することができる。【解決手段】  本発明は同時画面の機能を有する映像処理装置に関する。前記映像処理装置は、表示部と；主映像信号及び副映像信号を映像処理する第１映像処理部及び第２映像処理部と；前記主映像信号及び副映像信号の経路をスイッチングする経路スイッチング部と；使用者によって前記主映像信号による映像だけが前記表示部に表示されることと選択された場合、前記第１映像処理部及び前記第２映像処理部の順で前記主映像信号を映像処理し、前記主映像信号及び前記副映像信号による映像が前記表示部に共に表示されることと選択された場合、前記第２映像処理部及び前記第１映像処理部の順で前記主映像信号及び前記副映像信号を映像処理するように前記経路スイッチング部を制御する制御部とを含む。【選択図】        図２
2007082237.tif 000002
【特許請求の範囲】
【請求項１】
映像処理装置において、
表示部と；
主映像信号及び副映像信号を映像処理する第１映像処理部及び第２映像処理部と；
前記主映像信号及び副映像信号の経路をスイッチングする経路スイッチング部と；
使用者によって、前記主映像信号による映像だけが前記表示部に表示されることと選択された場合、前記第１映像処理部及び前記第２映像処理部の順に前記主映像信号を映像処理し、前記主映像信号及び前記副映像信号による映像が前記表示部に共に表示されることと選択された場合、前記第２映像処理部及び前記第１映像処理部の順で前記主映像信号及び前記副映像信号を映像処理するように前記経路スイッチング部を制御する制御部とを含むことを特徴とする映像処理装置。
【請求項２】
前記第１映像処理部は、前記主映像信号または前記副映像信号が入力される一つの入力ポートと、前記主映像信号または前記副映像信号が出力される一つの出力ポートとを有し、
前記第２映像処理部は、前記主映像信号及び前記副映像信号が入力される二つの入力ポートと、前記主映像信号及び前記副映像信号のうちのいずれか一つが出力される一つの出力ポートとを有することを特徴とする請求項１に記載の映像処理装置。
【請求項３】
前記制御部は、使用者の選択によって前記主映像信号及び前記副映像信号のうちのいずれか一つが出力されるように、前記第２映像処理部を制御することを特徴とする請求項２に記載の映像処理装置。
【請求項４】
前記第１映像処理部は、前記主映像信号のノイズを除去することを特徴とする請求項１に記載の映像処理装置。
【請求項５】
前記第２映像処理部は、前記主映像信号及び前記副映像信号が前記表示部に表示されるように解像度を調整することを特徴とする請求項１に記載の映像処理装置。
【発明の詳細な説明】
【技術分野】
【０００１】
本発明は映像処理装置に関する。より詳しくは、本発明は費用の追加なしに、高い品質で同時画面を表示することができる映像処理装置に関する。
【背景技術】
【０００２】
ＴＶのような映像処理装置は、放送局からデジタルＴＶ放送と、ケーブルＴＶ放送などのような所定の映像が含まれている映像信号を受信するか、またはＶＣＲ、ＤＶＤプレーヤーなどのような多様な映像器機から映像信号の入力を受け、入力を受けた映像信号に対して映像処理を遂行して映像を出力する。
【０００３】
このような映像処理装置は、一つの画面に一つのチャネルに対応する映像を表示するだけでなく、一つの画面に同時に複数のチャネルに対応する映像を表示することができ、これをいわゆるＰＩＰ(ピクチャインピクチャ)と言う。図１はこのようなＰＩＰ機能を有する従来の映像処理装置の主要構成を示したブロック図である。図１に示した映像処理装置１は、ノイズリダクションＩＣ１１と、スケーラＩＣ１２とを具備する。ノイズリダクションＩＣ１１は入力される映像信号に含まれたノイズなどを除去して、映像の品質を向上させる動作を遂行する。スケーラＩＣ１２は、映像信号による映像が画面に適正の大きさで表示されるように映像の解像度を調整する。この場合、ノイズリダクションの效果を最大化するために、信号の流れにおいてノイズリダクションＩＣ１１がスケーラＩＣ１２の前段に配置される。
【０００４】
一方、従来の映像処理装置１において、ノイズリダクションＩＣ１１は、映像信号が各々入力及び出力される一つの入力ポート１１ａ及び一つの出力ポート１１ｂを有し、スケーラＩＣ１２は、二つの映像信号が同時に入力できる二つの入力ポート１２ａ及び１２ｂと、入力された二つの映像信号のうちのいずれか一つが出力される一つの出力ポート１２ｃとを有することができる。スケーラＩＣ１２は、二つの入力ポート１２ａ及び１２ｂを通じて入力された二つの映像信号の中で、使用者の選択に基づいた制御信号によっていずれか一つを選択し、スケーリング処理後に出力する。
【０００５】
このような構成を有する従来の映像処理装置１の具体的動作において、図１（ａ）に示したように、使用者の選択によってＰＩＰがオフされた場合には、つまり一つのチャネルの映像のみを表示する場合には、ノイズリダクションＩＣ１１の入力ポート１１ａに映像信号（以下、説明の便宜上“主映像信号”とも言う。）が入力され、ノイズリダクションを経った後出力ポート１１ｂに出力され、出力された主映像信号はスケーラＩＣ１２の入力ポート１２ａに入力され、スケーリングを経って出力ポート１２ｃに出力される。
【０００６】
一方、図１（ｂ）に示したように、使用者の選択によってＰＩＰがオンになった場合には、つまり、二つの映像信号（以下、説明の便宜上“主映像信号”及び“副映像信号”とも言う。）が同時に画面に表示される場合には、主映像信号は図１（ａ）に示した信号の流れと同様に、ノイズリダクションＩＣ１１及びスケーラＩＣ１２を経って出力される一方、副映像信号はノイズリダクションＩＣ１１を経ずに、スケーラＩＣ１２の入力ポート１２ｂに入力されてスケーリングを経って出力ポート１２ｃに出力される。副映像信号がノイズリダクションＩＣ１１を経らない理由は、ノイズリダクションＩＣ１１が一つの入力ポート１１ａのみを有するので、同時に２以上の信号が入力及び処理できないためである。
【０００７】
従って、従来の映像処理装置１によれば、ＰＩＰで動作する場合、主映像信号はノイズリダクションＩＣ１１を経って映像のイズが減少できるが、副映像信号はノイズリダクションＩＣ１１を経ることができないためノイズが減少されず、これにより副映像信号の映像の品質が落ちるという問題点があった。このような問題点を解決するために、ノイズリダクションＩＣ１１とスケーラＩＣ１２の配置手順を変えることは、ノイズリダクションの效果が減少され、新しいノイズリダクションＩＣを追加するか、またはノイズリダクションＩＣ１１の入力ポートの数を増やすことは、製造コストの増加を来たすという困難さがある。
【発明の開示】
【発明が解決しようとする課題】
【０００８】
本発明は前記問題点を解決するためのものであって、費用の追加なしに、高い品質で同時画面を表示することができる映像処理装置を提供することを目的とする。
【課題を解決するための手段】
【０００９】
前記目的を達成するために、本発明は、映像処理装置において、表示部と；主映像信号及び副映像信号を映像処理する第１映像処理部及び第２映像処理部と；前記主映像信号及び副映像信号の経路をスイッチングする経路スイッチング部と；
使用者によって、前記主映像信号による映像だけが前記表示部に表示されることと選択された場合、前記第１映像処理部及び前記第２映像処理部の順で前記主映像信号を映像処理し、前記主映像信号及び前記副映像信号による映像が前記表示部に共に表示されることと選択された場合、前記第２映像処理部及び前記第１映像処理部の順で前記主映像信号及び前記副映像信号を映像処理するように前記経路スイッチング部を制御する制御部とを含むことを特徴とする映像処理装置を提供する。
【００１０】
前記第１映像処理部は、前記主映像信号または前記副映像信号が入力される一つの入力ポートと、前記主映像信号または前記副映像信号が出力される一つの出力ポートとを有し、前記第２映像処理部は、前記主映像信号及び前記副映像信号が入力される二つの入力ポートと、前記主映像信号及び前記副映像信号のうちのいずれか一つが出力される一つの出力ポートとを有することができる。この場合、前記制御部は、使用者に選択によって前記主映像信号及び前記副映像信号のうちいずれか一つが出力されるように、前記第２映像処理部を制御することが好ましい。
【００１１】
前記第１映像処理部は前記主映像信号のノイズを除去し、前記第２映像処理部は、前記主映像信号及び前記副映像信号が前記表示部に表示されるように解像度を調整する機能を有することができる。
【発明の効果】
【００１２】
本発明によれば、費用の追加なしに、高い品質で同時画面を表示することができる映像処理装置を提供することができる。
【発明を実施するための最良の形態】
【００１３】
以下、添付された図面を参照して、本発明の好ましい実施形態について詳細に説明する。図２は本発明の一実施形態による映像処理装置１００の構成を概略的に示したブロック図である。本実施形態の映像処理装置１００は、放送局からデジタルＴＶ放送と、ケーブルＴＶ放送などのような所定の映像が含まれた映像信号を受信するか、またはＶＣＲ、ＤＶＤプレーヤーなどのような多様な映像器機から映像信号の入力を受け、入力を受けた映像信号に対して映像処理を遂行して映像を出力する。映像処理装置１００は、ＴＶシステム、ＴＶ用セットトップボックス(set-top box)などによって具現されることができる。
【００１４】
映像処理装置１００は、いわゆるＰＩＰ機能を有し、一つの画面に同時に複数のチャネルに対応する映像を表示することができる。
【００１５】
映像処理装置１００は、図２に示したように、ノイズリダクションＩＣ１１０、スケーラＩＣ１２０、パススイッチングＩＣ１３０、使用者入力部１４０、ディスプレイ１５０、及びマイコン１６０を含む。ノイズリダクションＩＣ１１０は、入力される映像信号に含まれたノイズなどを除去して映像の品質を向上させる動作を遂行する。スケーラＩＣ１２０は、映像信号による映像がディスプレイ１５０の画面に適正の大きさで表示されるように映像の解像度を調整する。パススイッチングＩＣ１３０は、映像信号の経路に配置され、マイコン１６０の制御信号によってその経路をスイッチングする動作を遂行する。使用者入力部１４０は、使用者から情報の入力を受け、これをマイコン１６０に伝達する。使用者入力部１４０はリモコンなどによって具現されることができる。ディスプレイ１５０はＣＲＴ、ＬＣＤなどによって具現されることができ、映像信号に基礎して映像を画面に表示する。マイコン１６０は装置を全般的に制御し、使用者の入力に基礎して映像信号の経路を決定し、決定された経路に映像信号が流れるようにパススイッチングＩＣ１３０を制御する。
【００１６】
パススイッチングＩＣ１３０は、映像信号の入力を受け、マイコン１６０の制御信号によってノイズリダクションＩＣ１１０及びスケーラＩＣ１２０にこれを伝達し、ノイズリダクションＩＣ１１０及びスケーラＩＣ１２０によって処理された映像信号を受信してディスプレイ１５０に出力する。
【００１７】
図３は本実施形態の映像処理装置１００のＰＩＰ動作オン及びオフの際、映像信号の流れを示した図である。本実施形態のノイズリダクションＩＣ１１０は、映像信号が各々入力及び出力される一つの入力ポート１１０ａ及び一つの出力ポート１１０ｂを有し、スケーラＩＣ１２０は、二つの映像信号が同時に入力できる第１入力ポート１２０ａ及び第２入力ポート１２０ｂと、入力された二つの映像信号のうちのいずれか一つが出力される一つの出力ポート１２０ｃとを有することができる。スケーラＩＣ１２０は、第１入力ポート１２０ａ及び第２入力ポート１２０ｂを通じて入力された二つの映像信号のうち、マイコン１６０の制御信号によっていずれか一つを選択し、スケーリング処理後に出力する。
【００１８】
説明の便宜上、映像処理装置１００のＰＩＰ動作がオフの場合の映像信号を“主映像信号”、映像処理装置１００のＰＩＰ動作がオンの場合の二つの映像信号をそれぞれ
“主映像信号”及び“副映像信号”と言う。まず、使用者の選択によってＰＩＰ動作がオフの時、マイコン１６０は、ノイズリダクションＩＣ１１０の入力ポート１１０ａに主映像信号を入力して(Ａ１参照)、ノイズリダクションを経って出力ポート１１０ｂに出力するようにし（Ａ２参照）、出力された主映像信号をスケーラＩＣ１２０の第１入力ポート１２０ａに入力して（Ａ２参照）、スケーリングを経って出力ポート１２０ｃに出力するように（Ａ３参照）、パススイッチングＩＣ１３０を制御する。言い換えれば、本実施形態の映像処理装置１００において、ＰＩＰ動作がオフの際には、ノイズリダクションＩＣ１１０とスケーラＩＣ１２０の順で主映像信号が処理される。
【００１９】
使用者の選択によってＰＩＰ動作がオンの時、マイコン１６０は、主映像信号及び副映像信号をそれぞれスケーラＩＣ１２０の第１入力ポート１２０ａ及び第２入力ポート１２０ｂに入力し（Ｂ１及びＢ２参照）、スケーリングを経って出力ポート１２０ｃに出力される主映像信号または副映像信号をノイズリダクションＩＣ１１０の入力ポート１１０ａに入力し（Ｂ３参照）、ノイズリダクションを経って出力ポート１１０ｂに出力される主映像信号または副映像信号をディスプレイ１５０に出力するように（Ｂ４参照）、パススイッチングＩＣ１３０を制御する。言い換えれば、本実施形態の映像処理装置１００において、ＰＩＰ動作時には、スケーラＩＣ１２０とノイズリダクションＩＣ１１０の順で主映像信号または副映像信号が処理される。
【００２０】
本実施形態のノイズリダクションＩＣ１１０、スケーラＩＣ１２０及びパススイッチングＩＣ１３０は、一つの集積回路で具現されることもでき、それぞれまたは可能な組み合わせで分離されて具現されることもできる。本実施形態のマイコン１６０は、マイクロプロセッサー及びこれによって実行されるコンピュータープログラムで具現されることができる。この場合、前記コンピュータープログラムはフラッシュメモリなどに保存されることができる。このようなコンピュータープログラムは、マイコン１６０の動作を遂行するようにマイクロプロセッサーに適合した言語でプログラミングされる。
【００２１】
以上、好ましい実施形態を通じて本発明について詳細に説明したが、本発明はここに限定されるわけではなく、特許請求の範囲内で多様に実施されることができる。
【図面の簡単な説明】
【００２２】
【図１】ＰＩＰ機能を有する従来の映像処理装置の主要構成を示したブロック図である。
【図２】本発明の一実施形態による映像処理装置の構成を概略的に示したブロック図である。
【図３】本実施形態の映像処理装置のＰＩＰ動作オン及びオフの際、映像信号の流れを示した図である。
【符号の説明】
【００２３】
１００  映像処理装置
１１０  ノイズリダクションＩＣ
１１０ａ、１２０ａ、１２０ｂ  入力ポート
１１０ｂ、１２０ｃ  出力ポート
１２０  スケーラＩＣ
１３０  パススイッチングＩＣ
１４０  使用者入力部
１５０  ディスプレイ
１６０  マイコン
【図１】
2007082237.tif 000003
【図２】
2007082237.tif 000004
【図３】
2007082237.tif 000005